(57)【要約】【課題】  室内の明かりや室外の太陽光によって、文字や文字列、マークなどを象った表示体本体を発光させることにより、その表示体本体にクリスタル感を発揮させる。表示体本体をウインドガラスなどに貼着している粘着層を見えなくし、しかも、発光表示面に輪郭線が形成されるようにする。【解決手段】  透光性を有する表示体本体１０の前面によって発光表示面１１を形成し、表示体本体１０の裏面１２を発光表示面１１の両側方に張り出させてその張出部分１３，１４により発光表示面１１の輪郭領域を形成する。張出部分１３，１４に遮光性塗膜２１，２２と粘着層２３，２４とを積層保持させる。表示体本体１０の裏面に着色層３１を形成する。【選択図】        図３
0003121547.tif 000002
【実用新案登録請求の範囲】
【請求項１】
透光性を有する樹脂製の表示体本体と、この表示体本体の裏面に保持されてガラスなどの透光性を有する板材に貼着される粘着層と、表示体本体を着色する手段と、を有する着色表示体であって、
上記表示体本体の前面によって発光表示面を形成してあると共に、その表示体本体の裏面に遮光性塗膜が形成された遮光領域と遮光性塗膜が形成されていない透光領域とを区画形成して上記遮光領域に限定して上記粘着層を積層保持させてあることを特徴とする着色表示体。
【請求項２】
上記表示体本体の裏面を上記発光表示面の両側方に張り出させてその張出部分により上記発光表示面の輪郭領域を形成し、その張出部分の裏面の全体を上記遮光領域としてある請求項１に記載した着色表示体。
【請求項３】
表示体本体を着色する上記手段が、上記表示体本体の裏面に形成された透光性を有する着色層でなる請求項１又は請求項２に記載した着色表示体。
【請求項４】
上記表示体本体の発光表示面とその両側面とが湾曲面を介して滑らかに連続している請求項１ないし請求項３のいずれか１項に記載した着色表示体。
【考案の詳細な説明】
【技術分野】
【０００１】
本考案は、着色表示体、特に、ウインドガラスなどに貼着することによってそのウインドガラスに切文字サインなどを具備させることに用いられる着色表示体に関する。
【背景技術】
【０００２】
従来より、透光性を有する合成樹脂体に埋め込んだＬＥＤランプから出る光でその合成樹脂体の表面を発光させる面発光装置が知られている（たとえば、特許文献１参照）。
【０００３】
一方、ウインドガラスに切文字サインを貼着しておき、室内や室外の明かりを利用してその切文字サインを発光させることにより、ウインドガラス上で文字や文字列、マークなどをステンドガラス風に表示させることも行われている。このような切文字サインの従来例を図１０を参照して説明する。
【０００４】
図１０は切文字サインの従来例を示した概略縦断側面図である。同図の切文字サインは、文字、文字列、マークなどを象って透明アクリル樹脂をカットすることにより形成された表示体本体１の裏面に、透光性を有するインクでオンデマンドに印刷層を形成し、その表示体本体１の裏面全体に亘って保持させた透光性を有する粘着層（たとえば透明な両面粘着テープ）２をウインドガラス３に貼着するように構成されている。この種の切文字サインでは、表示体本体１をウインドガラス３に貼着する際に、粘着層２に気泡や接着むらなどが発生しやすく、そのような気泡や接着むらが生じていると、表示体本体１を透してそれらの気泡や接着むらが見えて見苦しくなる。
【０００５】
そこで、そのような事態が起こることを回避するために、従来は、表示体本体１を不透明にして遮光性を付与し、表示体本体１の前方からは粘着層２が見えないようにすることを余儀なくされていた。
【０００６】
【特許文献１】特開２００５−１２３３５７号公報
【考案の開示】
【考案が解決しようとする課題】
【０００７】
しかしながら、図１０を参照して説明した従来の切文字サインにおいて、表示体本体１を不透明にすると、切文字サインによってクリスタル感や立体感を出したいという要求や、表示体本体１によってウインドガラス３にステンドガラス風のデザインを付与したいと要求に応えることができない。また、表示体本体１に室内の明かりや室外の太陽光を透過させてその表示体本体１を明るく発光させることができたとしても、満足のいくクリスタル感や立体感が得られなかった。
【０００８】
本考案は、以上の状況の下でなされたものであり、文字や文字列、マークなどを象った表示体本体に透光性を付与することによってその表示体本体で室内の明かりや太陽光の透過によるクリスタル感や立体感を発揮させることができるようにしたとしても、その表示体本体をウインドガラスなどのガラスに粘着層を介して貼着した場合に粘着層に生じた気泡や接着むらが表示体本体を透して見えることがなくなり、しかも、その表示体本体に明瞭な輪郭線が付与されて全体としてクリスタル感や立体感を際立たせることのできる着色表示体を提供することを目的とする。
【０００９】
また、本考案は、ウインドガラスにステンドガラス風の切文字サインを具備させる場合に好適に用い得る着色表示体を提供することを目的とする。
【課題を解決するための手段】
【００１０】
本考案に係る着色表示体は、透光性を有する樹脂製の表示体本体と、この表示体本体の裏面に保持されてガラスなどの透光性を有する板材に貼着される粘着層と、表示体本体を着色する手段と、を有する。そして、上記表示体本体の前面によって発光表示面を形成してあると共に、その表示体本体の裏面に遮光性塗膜が形成された遮光領域と遮光性塗膜が形成されていない透光領域とを区画形成して上記遮光領域に限定して上記粘着層を積層保持させてある。
【００１１】
この構成を備えた着色表示体によると、表示体本体が透光性を有しているので、その表示体本体を粘着層を介してウインドガラスなどの透光性を有する板材に貼着しておくと、室内の明かりや室外の太陽光がその表示体本体を透過して表示体本体の前面によって形成されている発光表示面が発光する。また、表示体本体の裏面に遮光性塗膜が形成された遮光領域を区画形成し、その遮光領域に限定して上記粘着層を積層保持させてあるという構成を採用したことにより、ガラスなどの板材に貼着した粘着層に気泡や接着むらが生じていても、その気泡や接着むらが表示体本体の表面側から遮光性塗膜により被覆されることになってそれらが表示体本体の表面側から見えて見苦しくなるということがなくなる。それにもかかわらず、表示体本体の裏面には遮光性塗膜が形成されていない透光領域とを区画形成されているために、室内の明かりがその透光領域だけを通過して表示体本体の表面の発光表示面が発光する。したがって、表示体本体が字や文字列、マークなどを象ったものであると、その表示体本体の発光表示面だけが室内の明かりを透過して明るくクリスタルに輝き、その表示体本体のデザインによってはステンドガラス風の装飾がウインドガラスなどの板材に付与されるようになる。
【００１２】
本考案では、上記表示体本体の裏面を上記発光表示面の両側方に張り出させてその張出部分により上記発光表示面の輪郭領域を形成し、その張出部分の裏面の全体を上記遮光領域としてあるという構成を採用することが可能である。これによれば、遮光性塗膜によって発光表示面の輪郭領域と遮光領域が一致してそれらが発光しない領域になり、発光表示面の発光を際立たせる作用を発揮する。
【００１３】
本考案では、表示体本体を着色する上記手段が、上記表示体本体の裏面に形成された透光性を有する着色層でなるという構成を採用することができ、これによれば、その着色層の色合いに見合う色調で表示体本体が見えるようになる。
【００１４】
本考案では、上記表示体本体の発光表示面とその両側面とが湾曲面を介して滑らかに連続しているという構成を採用することも可能である。これによると、角張りを持たない艶やかな発光表示を行わせることが可能になると同時に、発光表示面の見栄えが立体感を持つようになる。
【考案の効果】
【００１５】
以上のように、本考案に係る着色表示体によれば、文字や文字列、マークなどを象った表示体本体の透光性によってその表示体本体が室内の明かりや室外の太陽光の透過による高度のクリスタル感や立体感を発揮するようになる。そのため、夜間などであっても、室内の明かりや室外の明かりを利用して、ＬＥＤランプなどの電力を消費する光源を用いずに表示体本体を発光させて切文字サインやステンドガラス風といった装飾をウインドガラスなどに付与することが可能になる。その上、表示体本体をウインドガラスなどに貼着している粘着層が遮光性塗膜を介して表示体本体の輪郭領域に相当する部分だけに限定して保持されているために、たとえ粘着層に気泡や接着むらが生じていてもそれらの気泡や接着むらが表示体本体を透して見えることがない。その結果、表示体本体を熟練を必要とせずにウインドガラスに容易に貼着することが可能であるだけでなく、表示体本体によって発光表示される文字や文字列、マークなどの輪郭線が付与されてその表示の明瞭性やクリスタル感が高められるという利点も併せて得られるようになる。特に、表示体本体の発光表示面とその両側面とが湾曲面を介して滑らかに連続しているという構成を採用することにより、発光表示面の立体感が際立つようになるという利点も得られる。
【考案を実施するための最良の形態】
【００１６】
図１は本考案の実施形態による切文字サインとしての着色表示体Ａを例示した正面図、図２は図１の着色表示体Ａの一部分の拡大正面図、図３は図２のＩＩＩ−ＩＩＩ線拡大断面図、図４は図３のＩＶ部拡大図である。図５は使用状態説明図である。
【００１７】
図１に例示した着色表示体Ａは、デザイン化された「Ｓｔｕｄｉｏ」という文字列を高度に透明な板状のアクリル樹脂素材から一体につながった状態で切り出すことによって形成された表示体本体１０を備えている。そして、「Ｓｔｕｄｉｏ」という文字列を形成している表示体本体１０の一部分である文字「Ｓ」に相当する部分や他のすべての文字「ｔ」「ｕ」「ｄ」「ｉ」「ｏ」に相当する部分は次に説明する形状になっている。その形状を文字「Ｓ」に相当する部分を示した図２または図３を参照して説明する。
【００１８】
表示体本体１０において、図３に示した文字「Ｓ」に相当する部分では、その前面が表面平滑度の高い平坦な発光表示面１１とされている。そして、表示体本体１０の裏面１２が、遮光性塗膜２１を備える遮光領域Ｚ２と遮光性塗膜２１の形成されていない透光領域Ｚ１とに区画されている。また、遮光領域Ｚ２に限定してその遮光領域Ｚ２の全体に両面粘着テープでなる粘着層２３を積層保持させてある。また、この実施形態では、発光表示面１１と表示体本体１０の両側面１５，１６とを断面円弧形状の湾曲面１７，１８を介して滑らかに連続させることによって、発光表示面１１の周囲から角張った箇所を無くしている。さらに、この実施形態では、表示体本体１０を着色する手段として、表示体本体１０の裏面１２の全体に亘って透光性を有する着色インクでなる着色層３１を形成してある。したがって、上記した遮光性塗膜２１は、図４に詳細に示したように着色層３１に積層された状態になっている。なお、図３において、４１は剥離シートであり、粘着層２３の表面だけに仮貼着されてその粘着層２３を保護している。図１に示した表示体本体１０の他のすべての文字「ｔ」「ｕ」「ｄ」「ｉ」「ｏ」に相当する部分についても同様の構成になっている。
【００１９】
着色表示体Ａは、その表示体本体１０の裏面の剥離シート４１を剥がし取った状態で、図５のように、透光性を有する板材、一般的にはウインドガラス３の表面に貼着される。こうして表示体本体１０をウインドガラス３に貼着しておくと、たとえば夜間においては、図５に矢印Ｌ１で示した室内の明かりが表示体本体１０の裏面の着色層３１（図４参照）や表示体本体１０自体を矢印Ｌのように透過する。このため、ウインドガラス３の外から見ると、表示体本体１０の発光表示面１１が着色層３１（図４参照）の色調に見合う色合いで発光して見える。また、室内の明かりは、表示体本体１０の裏面の遮光性塗膜２１（図３・図４参照）を透過しないため、その遮光性塗膜２１の形成箇所が発光表示面１１の周囲で黒味がかった輪郭線として見えるようになって発光表示面１１の発光が際立って見えるようになる。しかも、外から見たときには粘着層２３が遮光性塗膜２１によって覆われているために、その粘着層２３に気泡や接着むらが生じていても、それらの気泡や接着むらが外から見えることはない。したがって、ウインドガラス３の外から見た目線では、図１のようにデザイン化された「Ｓｔｕｄｉｏ」という文字列が室内の明かりで発光してクリスタルに輝いて見える。特に、この実施形態では、表示体本体１０の発光表示面１１とその両側面１５，１６とを湾曲面１７，１８を介して滑らかに連続させているために、角張りを持たない艶やかな発光表示作用が発揮されて文字列の立体感が顕著に現出するようになる。このことから、表示体本体１０の形状やデザインによっては、ステンドガラス風の装飾がウインドガラス３に付与されるようになり、その場合には、ステンドガラスに見られるように、表示体本体１０の色合いが、室内の明かりの変化や室外の明るさの変化に応じて揺らいだりして情緒的な装飾効果が得られるようになる。なお、夜間の街灯の明かりで表示体本体１０の発光表示面１１が発光する場合や、昼間に室外の太陽光で表示体本体１０の発光表示面１１が発光する場合にも同様の作用が奏される。
【００２０】
一方、室内からの目線では、ウインドガラス３を透して粘着層２３が見えるので、粘着層２３に気泡や接着むらが生じていると、それらの気泡や接着むらが室内から見えて見苦しいということが云える。そこで、この実施形態では、図５に示したように、ウインドガラス３の内面に、粘着層２３を覆い隠す遮光性のフィルム６１を貼着してその見苦しさを解消している。したがって、このような対策を講じることによって、熟練を必要とせずに表示体本体１０をウインドガラス３の適所に誰でもが容易に貼着することができるようになる。
【００２１】
なお、表示体本体１０にはアクリル樹脂を好適に採用することが可能であり、アクリル樹脂を採用すると、そのアクリル樹脂に特有の紫外線遮蔽作用によって粘着層２３の劣化や着色層３１の色褪せなどが抑制されるという利点がある。
【００２２】
図６は変形例を示している。同図の事例では、表示体本体１０の裏面の周辺部と中間部とを遮光領域Ｚ２としてそれらの遮光領域Ｚ２に遮光性塗膜（不図示）と両面粘着テープによる粘着層２３とを形成し、その裏面の残りの領域を透光領域Ｚ１としてある。その他の構成は、図３又は図４で説明したところと同様であるので、説明の重複を避けるために具体的説明を省略する。
【００２３】
次に、図１に示した着色表示体Ａの各文字の断面形状を変化させた場合の実施形態を説明する。図７は図２のＩＩＩ−ＩＩＩ線で示した部位に相応する拡大断面図、図８は図７のＶＩＩＩ部拡大図、図９は使用状態説明図である。
【００２４】
この実施形態においても、表示体本体１０は、図１に例示したものと同様の着色表示体Ａ、すなわち、デザイン化された「Ｓｔｕｄｉｏ」という文字列を、高度に透明な板状のアクリル樹脂素材から一体につながった状態で切り出すことによって形成されている。そして、「Ｓｔｕｄｉｏ」という文字列を形成している表示体本体１０の一部分である文字「Ｓ」に相当する部分や他のすべての文字「ｔ」「ｕ」「ｄ」「ｉ」「ｏ」に相当する部分は次に説明する形状になっている。その形状を文字「Ｓ」に相当する部分を示した図７を参照して説明する。
【００２５】
表示体本体１０において、図３に示した文字「Ｓ」に相当する部分では、その前面が表面平滑度の高い平坦な発光表示面１１とされているのに対し、その裏面１２は、幅が発光表示面１１の幅よりも広くて発光表示面１１の両側方に張り出している。そして、発光表示面１１に対する裏面１２の張出部分１３，１４が、発光表示面１１の輪郭領域として形成されている。すなわち、発光表示面１１が発光したときに、張出部分１３，１４が発光せずに発光表示面１１の輪郭線を形作るようになっている。この点についてさらに後述する。
【００２６】
上記のように、発光表示面１１の幅よりも裏面１２の幅を拡げることにより、その裏面１２に発光表示面１１の両側に張り出した張出部分１３，１４を形成すると、表示体本体１０の平坦な側面１５，１６は発光表示面１１に向けて内側に傾斜した傾斜面となる。そして、この実施形態では、それらの側面１５，１６と発光表示面１１とを断面円弧形状の湾曲面１７，１８を介して滑らかに連続させることによって、発光表示面１１の周囲から角張った箇所を無くしている。
【００２７】
上記した張出部分１３，１４の裏面は、遮光性塗膜２１を塗工することによって遮光領域Ｚ２として形成され、それらの遮光性塗膜２１にさらに粘着層２３を保持させてある。また、遮光領域Ｚ２を除く領域は透光領域Ｚ１とされている。さらに、表示体本体１０を着色する手段として、表示体本体１０の裏面１２の全体に亘って透光性を有する着色インクでなる着色層３１が形成されている。したがって、上記した遮光性塗膜２１は、この着色層３１に積層された状態になっている。なお、図３において、４１は剥離シートであり、粘着層２３の表面に仮貼着されてその粘着層２３を保護している。図１に示した表示体本体１０の他のすべての文字「ｔ」「ｕ」「ｄ」「ｉ」「ｏ」に相当する部分についても同様の構成になっている。
【００２８】
着色表示体Ａは、その表示体本体１０の裏面の剥離シート４１を剥がし取った状態で、図９のように、透光性を有する板材、一般的にはウインドガラス３の表面に貼着される。こうして表示体本体１０をウインドガラス３に貼着しておくと、たとえば夜間においては、図５に矢印Ｌ１で示した室内の明かりが表示体本体１０の裏面の着色層３１（図８参照）や表示体本体１０自体を矢印Ｌのように透過する。このため、ウインドガラス３の外から見ると、表示体本体１０の発光表示面１１が着色層３１の色調に見合う色合いで発光して見える。また、室内の明かりは、表示体本体１０の裏面の張出部分１３，１４（図７参照）に備わっている遮光性塗膜２１（図４参照）を透過しないため、その遮光性塗膜２１の形成箇所が発光表示面１１の周囲で黒味がかった輪郭線として見えるために、発光表示面１１の発光が際立って見えるようになる。しかも、外から見たときには粘着層２３が遮光性塗膜２１によって覆われているために、その粘着層２３に気泡や接着むらが生じていても、それらの気泡や接着むらが外から見えることはない。したがって、ウインドガラス３の外から見た目線では、図１のようにデザイン化された「Ｓｔｕｄｉｏ」という文字列が室内の明かりで発光してクリスタルに輝いて見える。特に、この実施形態では、表示体本体１０の発光表示面１１とその両側面１５，１６とを湾曲面１７，１８を介して滑らかに連続させているために、角張りを持たない艶やかな発光表示作用が立体感をもって発揮されることになる。このことから、表示体本体１０の形状やデザインによっては、ステンドガラス風の装飾がウインドガラス３に付与されるようになり、その場合には、ステンドガラスと同様に、表示体本体１０の色合いが、室内の明かりの変化や室外の明るさの変化に応じて揺らいだりして情緒的な装飾効果が得られるようになる。なお、夜間の街灯の明かりで表示体本体１０の発光表示面１１が発光する場合や、昼間に室外の太陽光で表示体本体１０の発光表示面１１が発光する場合にも同様の作用が奏される。
【００２９】
一方、室内からの目線では、ウインドガラス３を透して粘着層２４が見えるので、粘着層２３，２４に気泡や接着むらが生じていると、それらの気泡や接着むらが室内から見えて見苦しいということが云える。そこで、この実施形態でも、図９に示したように、ウインドガラス３の内面に、粘着層２３を多い隠す遮光性のフィルム６１，６２を貼着してその見苦しさを解消している。したがって、このような対策を講じることによって、熟練を必要とせずに表示体本体１０をウインドガラス３の適所に誰でもが容易に蝶着することができるようになる。
【００３０】
なお、表示体本体１０にはアクリル樹脂を好適に採用することが可能であり、アクリル樹脂を採用すると、そのアクリル樹脂に特有の紫外線遮蔽作用によって粘着層の劣化や着色層３１の色褪せなどが抑制されるという利点がある。
【図面の簡単な説明】
【００３１】
【図１】本考案の実施形態による切文字サインとしての着色表示体を例示した正面図である。
【図２】図１の着色表示体の一部分の拡大正面図である。
【図３】図２のＩＩＩ−ＩＩＩ線拡大断面図である。
【図４】図３のＩＶ部拡大図である。
【図５】使用状態説明図である。
【図６】変形例の説明図である。
【図７】他の実施形態における図２のＩＩＩ−ＩＩＩ線で示した部位に相応する拡大断面図である。
【図８】図７のＶＩＩＩ部拡大図である。
【図９】使用状態説明図である。
【図１０】従来例の使用状態説明図である。
【符号の説明】
【００３２】
Ａ  着色表示体
３  ウインドガラス（板材）
１０  表示体本体
１１  発光表示面
１２  裏面
１３，１４  張出部分
１７，１８  湾曲面
２１  遮光性塗膜
２３  粘着層
３１  着色層（表示体本体を着色する手段）
Ｚ１  透光領域
Ｚ２  遮光領域
【図１】
0003121547.tif 000003
【図２】
0003121547.tif 000004
【図３】
0003121547.tif 000005
【図４】
0003121547.tif 000006
【図５】
0003121547.tif 000007
【図６】
0003121547.tif 000008
【図７】
0003121547.tif 000009
【図８】
0003121547.tif 000010
【図９】
0003121547.tif 000011
【図１０】
0003121547.tif 000012